(57)【要約】【課題】スイッチの小型化を図る。【解決手段】ケースの底壁２１に電極３１、３２および３３の列を同方向に２列設け、それぞれ電極３２に揺動接片３７（３７ａ、３７ｂ）を支持させて、回転スライダ５０の操作子５３ａ、５３ｂ内に保持のコイルスプリング５５で付勢されたボール５６で揺動接片の電極３１側を押圧して中立位置とする。回転スライダを中心軸５２まわりに時計方向に回動することにより、ボール５６が揺動接片３７ａの電極３２による支持位置を越え、当該揺動接片３７ａが電極３１との導通から電極３３との導通状態へ切換る。回転スライダを反時計方向に回動すれば、同様にして他方の揺動接片３７ｂが電極３１との導通から電極３３との導通状態へ切換る。回転スライダは回転するだけであるから、直線方向のスライド代が不要のため、回転スライダを収容するケースのサイズを短縮できる。【選択図】図１
2010165530.tif 000002
【特許請求の範囲】
【請求項１】
回動軸まわりに回動可能で、該回動軸から離間した位置に操作子を備えた回転スライダと、
それぞれ揺動接片を含んで並列に設けられた２つの電極組とからなり、
前記回転スライダには、前記回動軸を挟んだ両側に前記揺動接片を押圧する押圧手段が設けられて、
前記操作子を介して前記回転スライダを一方向または逆方向に回動させることにより、前記押圧手段が前記揺動接片を押圧する位置が移動して、前記電極組の一方または他方の電気的接続状態を切換えることを特徴とするスイッチ。
【請求項２】
前記電極組はそれぞれ、基板上に順次配列された第１の電極、第２の電極および第３の電極と、前記揺動接片とからなり、いずれの電極組も前記各電極の配列順が同方向であり、
前記揺動接片は前記第２の電極に中間を支持されて、第１の電極から第３の電極に対向して配置され、
前記回転スライダの回動の中立位置において、前記押圧手段はそれぞれの揺動接片の前記第１の電極と第２の電極による支持位置との間を押圧しており、
前記回転スライダが回動して前記押圧手段による押圧位置が前記支持位置を前記第３の電極方向へ移動することにより、前記第１の電極と第２の電極の導通状態から前記第３の電極と第２の電極の導通状態へ切換わることを特徴とする請求項１に記載のスイッチ。
【請求項３】
前記操作子は、それぞれ前記電極組側に開口する筒孔を備えた円柱状で前記回動軸を挟んだ両側に２本設けられ、
前記押圧手段は、各操作子の前記筒孔の開口部に配置されて筒孔内のスプリングに付勢され、前記揺動接片上を転動するボールであることを特徴とする請求項１または２に記載のスイッチ。
【請求項４】
請求項１から３のいずれか１に記載のスイッチと、該スイッチに連動させたノブとからなるスイッチ装置であって、
前記ノブは、前記２つの電極組のそれぞれの揺動接片を横切る方向の揺動軸まわりに揺動可能であり、前記揺動軸より揺動接片側に延びて一の前記操作子と連結する係合部を備えたレバーを有し、
前記ノブを揺動軸まわりに揺動することにより、前記回転スライダを前記一方向または逆方向に回動させるように構成したことを特徴とするスイッチ装置。
【発明の詳細な説明】
【技術分野】
【０００１】
本発明は、スイッチの構造に関する。
【背景技術】
【０００２】
自動車のパワーウインドを操作するなどに適したスイッチとして、操作者がノブの一端を持ち上げ、あるいは押し下げることにより接点を切換えるようにしたスイッチ装置が利用されている。
この種のスイッチ装置では、スイッチ本体として、揺動するノブの所定部位に係合する操作子をスライドさせることにより切換え動作するスイッチが用いられている。
図１０はこのような従来のスイッチの構造を示す分解斜視図であり、図１１は断面図である。
スイッチの主要部品はアッパケース７０とロアケース８０からなる樹脂製のケース１００内に組み込まれる。
【０００３】
とくに図１１に示すように、ロアケース８０の底壁８１には、整列して並べられた電極板３１ａ、３２ａ、３３ａが配置されている。両端の電極板３１ａ、３３ａにはそれぞれに接点３６ａ、３８ａが設けられている。中央の電極板３２ａは底壁８１から立ち上がって揺動接片３７ａを支持している。揺動接片３７ａは電極板３１ａ〜３３ａの並びに沿って配置され、電極板３２ａは揺動接片３７ａの略中間位置を支持する。
アッパケース７０には、電極板３１ａ〜３３ａの並び方向にスライド可能にスライダ７５が保持される。スライダ７５はスライダ本体部７６から上方に延びる操作子７７を備え、アッパケース７０の天壁７１には操作子７７を通過させる穴７３が設けられている。
【０００４】
操作子７７はスライダ本体部７６から揺動接片３７ａ近傍まで下方にも延びるとともに、下端に開口する筒孔７８を有している。筒孔７８の開口部にはボール５６が保持され、筒孔７８内に配置されたコイルスプリング５５により付勢されたボール５６が揺動接片３７ａを押圧する。
図１１の断面において、揺動接片３７ａは電極板３２ａによる支持位置と接点３６ａ側との間に山部を有するとともに、接点３８ａ側にも緩やかな山部を有し、電極板３２ａによる支持位置よりも接点３６ａ側が両山部間の谷の最低部となっている。
【０００５】
図１１はスライダ７５が中立位置にある状態を示しており、このスライダ７５の中立位置において、ボール５６は揺動接片３７ａの谷の最低部を押圧し、これにより揺動接片３７ａは一端が接点３６ａに着座し、他端は接点３８ａから離間している。
中立位置から後方（図中右方向）へスライダ７５を移動させると、揺動接片３７ａは接点３６ａと電極板３２ａに支持された姿勢が変化することなく、ボール５６がコイルスプリング５５を圧縮しながら山部の形状に追従する。したがって、接点３６ａと電極板３２ａ間が導通している電気的接続状態は変化しない。
一方、中立位置から前方（図中左方向）へスライダ７５を移動させると、ボール５６が揺動接片３７ａ上を接点３８ａ方向へ移動し、電極板３２ａによる支持位置を越えると揺動接片３７ａを図１１において反時計方向に揺動させるから、揺動接片３７の一端は接点３６から離れ、他端が接点３８に着座する。これにより電気的接続状態が切り換わり、電極板３２と接点３８とが導通することになる。
【０００６】
ケース１００内には、図１０に示されるように、揺動接片３７ａとともに揺動接片３７ｂも配置され、揺動接片３７ｂについても図１１に示したと同様の電極板３１ｂ、３２ｂ、３３ｂとコイルスプリング５５に付勢されたボール５６が設けられている。ただし、揺動接片３７ａにかかる構成と揺動接片３７ｂにかかる構成とは前後反転している点が異なる。
したがって、図示しないノブと係合して操作子７７が中立位置から前方へ移動すると、揺動接片３７ｂは接点３６ｂと接続したまま、揺動接片３７ａは接点３８ａと接続し、例えばウインド閉のためにウインドガラス上昇方向のモータ駆動回路をオンとする。逆に、操作子７７が中立位置を通って後方へ移動すると、揺動接片３７ｂは接点３８ｂとの接続へ切り換わり、揺動接片３７ａは接点３８ａとの接続から接点３６ａとの接続へ切り換わる。これにより、ウインド開のためにウインドガラス下降方向のモータ駆動回路をオンとする。
出願人は同様のスイッチを例えば特開平８−３２９７７３号公報にも提案している。
【先行技術文献】
【特許文献】
【０００７】
【特許文献１】特開平８−３２９７７３号公報
【発明の概要】
【発明が解決しようとする課題】
【０００８】
ところで、自動車の運転席ドアに以上のようなスイッチ装置を設ける場合、セダンではパワーウインド制御用として少なくとも４個がドアのアームレストに配置されるが、アームレストにはそのほかドアミラーの角度調整や格納／展開用、ドアロック等に多数のスイッチ装置を配置したいという要求が大きくなっている。
アームレストにおけるスイッチ装置設置用のスペースは限定されているため、多数のスイッチ装置を配置するという要求を満たすためにはとくに個数の多いパワーウインド用のスイッチ装置の小型化が有効である。
【０００９】
しかしながら、上述した従来のスイッチでは、スライダ７５を直線移動させることにより揺動接片３７ａ、３７ｂを押圧するボール５６の位置を移動させているので、図１０に仮想線で示すように、中立位置を挟んだ前後両方向にスライダ７５の移動距離を確保する必要がある。したがってスライダ７５を収納するケース１００のサイズを小さくするには限度があって、スイッチ装置を多数設置しようとする場合の配置の自由度がいまだに制約されるという課題が残っている。
【００１０】
そこで本発明はこのような問題点に鑑み、さらに小型化されたスイッチを提供することを目的とする。
【課題を解決するための手段】
【００１１】
本発明のスイッチは、回動軸まわりに回動可能で、該回動軸から離間した位置に操作子を備えた回転スライダと、それぞれ揺動接片を含んで並列に設けられた２つの電極組とからなり、回転スライダには、上記回動軸を挟んだ両側に揺動接片を押圧する押圧手段が設けられて、操作子を介して回転スライダを一方向または逆方向に回動させることにより、押圧手段が揺動接片を押圧する位置が移動して、電極組の一方または他方の電気的接続状態を切換えるものとした。
【発明の効果】
【００１２】
本発明によれば、回転スライダを回動させることにより押圧手段が揺動接片を押圧する位置を変化させて電気的接続状態を切換えるので、回転スライダの直線方向のスライド代を確保する必要がなく、したがって回転スライダを収容するケース等のサイズを短縮して小型化することができる。
【図面の簡単な説明】
【００１３】
【図１】実施の形態にかかるスイッチの分解斜視図である。
【図２】スイッチの上面図である。
【図３】スイッチを用いたスイッチ装置の断面図である。
【図４】電極組の配置を示す平面図である。
【図５】ノブの角部を持ち上げたときのスイッチの動作を示す図である。
【図６】ノブの角部を持ち上げたときの回転スライダの回動を示す図である。
【図７】ノブの角部を押し下げたときの回転スライダの回動を示す図である。
【図８】ノブの角部を押し下げたときのスイッチの動作を示す図である。
【図９】スイッチ装置の変形例を示す図である。
【図１０】従来のスイッチの分解斜視図である。
【図１１】従来のスイッチの断面図である。
【発明を実施するための形態】
【００１４】
次に本発明の実施の形態を詳細に説明する。
図１は実施の形態にかかるスイッチの分解斜視図、図２は上面図、図３はスイッチを用いたスイッチ装置の断面図で、図２におけるＡ−Ａ部に相当する。
スイッチ５は、基本形状が直方体のケース８内に後述する揺動接片や電極を配置して構成される。
ケース８はそれぞれ樹脂製のアッパケース１０とロアケース２０からなっている。アッパケース１０とロアケース２０は互いに最中（モナカ）状に重ね合わされるようになっているが、ロアケース２０の対向する１組の側壁２２ａ、２２ｂは、他の側壁２２ｃ、２２ｄよりも上方に高く、アッパケース１０とロアケース２０を重ねたときにアッパケース１０内に延びている。
【００１５】
ロアケース２０の４面の側壁２２（２２ａ〜２２ｄ）の外面にはそれぞれ係合突起２４が設けられ、アッパケース１０の各側壁１２からは係合突起２４に対応する穴１５を備える係合片１４が下方に延びている。係合突起２４は上部に傾斜面２５を有し、ロアケース２０に対してアッパケース１０を押し下げていったときに、係合片１４が傾斜面２５を乗り上げて行き、その穴１５が係合突起２４に整合した際に穴１５の下縁が係合突起２４の下端面に係合してアッパケース１０とロアケース２０が結合される。
【００１６】
とくに図３に示すように、ロアケース２０の基板をなす底壁２１には、前後方向に整列して並べられた電極板３１、３２、３３が配置されている。中央の電極板３２は底壁２１から立ち上がって揺動接片３７を支持している。揺動接片３７は電極板３１、３２、３３の並びに沿って配置され、電極板３２は揺動接片３７の略中間位置を支持する。
両端の電極板３１、３３は底壁２１と面一とされ、それぞれに揺動接片３７との接触部として接点３６、３８を備えている。
以上の電極板３１、３２および３３と、揺動接片３７とにより１つの電極組３０が形成される。なお、以下の記載において、接点３６、３８は電気的には電極板３１、３３と同義である。
【００１７】
図３に示す断面において、揺動接片３７は電極板３２による支持位置と接点３６側との間に山部４１を有するとともに、接点３８側にも緩やかな山部４２を有し、電極板３２による支持位置よりも接点３６側が両山部間の谷４０の最低部となっている。
図４に示すように、ケース８内には２組の電極組３０（３０ａ、３０ｂ）が左右並列に設けられている。以下、２組の電極組およびその接点等を個別に特定するときには添え字ａ、ｂで区別する。２組の電極組３０ａ、３０ｂの間で、各接点や揺動接片の並び順は従来の図１０のものとは異なり、互いに同じである。
なお、図３に示した断面は電極組３０ａにかかるものではあるが、係合部６０との係合の有無を除き、２組の電極組に共通のため、「ａ」、「ｂ」の添え字は付していない。図１における電極についても同様である。
【００１８】
図２に示すように、アッパケース１０の天壁１１の中心には孔１６が設けられ、中心軸５２を備えて当該中心軸を孔１６に支持させた回転スライダ５０がアッパケース１０の内側に保持される。
回転スライダ５０は、中心軸５２を中心とする円盤状のスライダ本体部５１（図１参照）と、中心軸５２を挟んだ対称位置でスライダ本体部５１から上方に延びる円柱状の操作子５３ａ、５３ｂを備える。
そしてアッパケース１０の天壁１１には孔１６を中心にして、さらに操作子５３ａ、５３ｂを通過させる穴１８ａ、１８ｂが設けられている。すなわち、操作子５３ａ、５３ｂはスライダ本体部５１から穴１８ａ、１８ｂを通ってケース８の外部へ突出している。
【００１９】
回転スライダ５０は、操作子５３ａ、５３ｂを結ぶ線が前後方向（電極板３１、３２、３３の並び方向）に対して直角の位置にある状態を中立位置とする。
アッパケース１０の穴１８ａ、１８ｂは、図２において操作子５３ａ、５３ｂが実線位置にある中立位置から時計方向および反時計方向に仮想線で示す所定位置になるまで、回転スライダ５０の回転を許すように円弧形状となっている。
【００２０】
図３に示すように、操作子５３はスライダ本体部５１から揺動接片３７の近傍まで下方にも延びるとともに、下端に開口する筒孔５４を有している。筒孔５４の開口部にはボール５６が保持され、筒孔５４内に配置されたコイルスプリング５５により付勢されたボール５６が揺動接片３７を押圧する。
【００２１】
スイッチ５はその一方の操作子５３が上方の化粧板４に揺動可能に支持されたノブ１と連動するように配置されて、スイッチ装置Ｓを形成する。
ノブ１は、その揺動軸２よりも下方、スイッチ５側に延びるレバー３を備え、ノブ前端に形成した角（ツノ）部４側を指で持ち上げることにより揺動軸２まわりに時計方向に揺動し、角部４を押し下げることにより反時計方向に揺動する。レバー３は一方の操作子５３（５３ａ）にのみ対応して設けられている。揺動軸２は電極組における各電極の配列方向に対して垂直である。
【００２２】
レバー３は操作子５３を挟むように２股の係合部６０を備えている。係合部６０は、図３に示すように、操作子５３と接触する当接面６２、６３を有する。当接面６２、６３は断面円弧状で揺動接片３７の延び方向に対しては垂直な直線状である。
２つの当接面６２、６３間の最短距離は、ノブ１が揺動したときにも操作子５３とロックしないように、操作子５３の外径よりわずかに大きい所定の値に設定されている。
【００２３】
図３は回転スライダ５０が中立位置にある状態を示しており、この回転スライダ５０の中立位置において、ボール５６は揺動接片３７の谷４０の最低部を押圧し、これにより揺動接片３７は一端が接点３６に着座し、他端は接点３８から離間している。この状態は２組の電極組３０ａ、３０ｂにおいて共通である。
【００２４】
以上のように構成されたスイッチ装置Ｓの動作について、以下説明する
図５の（ａ）に示すように、ノブ１の角部４側を持ち上げると、レバー３が時計回りに揺動して係合部６０の当接面６２が操作子５３ａを前方（左方）へ押す。これにより、回転スライダ５０は上から見て図６に示すように時計方向に回動する。
前方へ移動した一方の操作子５３ａのボール５６はコイルスプリング５５を圧縮しながら揺動接片３７ａ上を転動して、電極板３２ａによる支持位置を越える。この結果、一方の電極組３０ａにおいて、揺動接片３７ａは反時計方向に揺動して、一端が接点３６ａから離れ、他端が接点３８ａに着座する。これにより電気的接続状態が切り換わり、電極板３２ａと接点３８ａとが導通することになる。
【００２５】
この間、図５の（ｂ）に示すように、他方の操作子５３ｂは、レバー３や係合部６０が関連付けられていないので、回転スライダ５０の時計方向の回動に伴って後方（右方）へ移動し、そのボール５６は接点３６ｂと電極板３２ｂ間の揺動接片３７ｂ上を転動するだけで、揺動接片３７ｂの姿勢を変えないので、他方の電極組３０ｂにおいては、電気的接続状態は変化しない。
なお、図５の（ａ）は図６におけるＢ−Ｂ部断面に相当し、図５の（ｂ）は図６におけるＣ−Ｃ部断面に相当する。
【００２６】
逆に、ノブ１の角部４側を押し下げると、レバー３は反時計回りに回動し、その係合部６０は操作子５３ａを後方（右方）へ押すから、回転スライダ５０は上から見て図７に示すように反時計方向に回動する。
したがって、図８の（ａ）に示すように、操作子５３ａは回転スライダ５０の反時計方向の回動に伴って後方（右方）へ移動し、そのボール５６は接点３６ａと電極板３２ａ間の揺動接片３７ａ上を転動するだけで、揺動接片３７ａの姿勢を変えることがなく、一方の電極組３０ａにおいて電気的接続状態は変化しない。
【００２７】
これに対して他方の操作子５３ｂは、図８の（ｂ）に示すように前方（左方）へ回動する。これにより、前方へ移動した操作子５３ｂのボール５６はコイルスプリング５５を圧縮しながら揺動接片３７ｂ上を転動して、電極板３２ｂによる支持位置を越える。この結果、電極組３０ｂにおいては、揺動接片３７ｂが反時計方向に揺動して、一端が接点３６ｂから離れ、他端が接点３８ｂに着座して、電気的接続状態が切り換わり、電極板３２ｂと接点３８ｂとが導通することになる。
なお、図８の（ａ）は図７におけるＤ−Ｄ部断面に相当し、図８の（ｂ）は図７におけるＥ−Ｅ部断面に相当する。
【００２８】
以上のようにして、スイッチ５は、回転スライダ５０の一方の操作子５３ａに対して係合するレバー３を備えて回転スライダ５０を時計方向および反時計方向に回動させるノブ１と協働させることにより、２組の電極組３０ａ、３０ｂにおける電気的接続状態を切換えることができる。
【００２９】
本実施の形態においては、中心軸５２が発明における回転軸に該当し、ロアケースの底壁２１が基板に該当し、電極３１が第１の電極、電極３２が第２の電極、そして電極３３が第３の電極にそれぞれ該当する。
また、コイルスプリング５５に付勢されたボール５６が押圧手段を構成している。
【００３０】
本実施例は以上のように構成され、中心軸５２まわりに回動可能で、中心軸５２から離間した位置に操作子５３を備えた回転スライダ５０と、それぞれ揺動接片３７ａ、３７ｂを含んで並列に設けられた電極組３０ａ、３０ｂとからなり、回転スライダ５０には、中心軸５２を挟んだ両側にコイルスプリング５５、５５に付勢されて揺動接片３７ａ、３７ｂを押圧するボール５６、５６とが設けられて、操作子５３を介して回転スライダ５０を一方向または逆方向に回動させることにより、各ボール５６が揺動接片３７ａ、３７ｂを押圧する位置が移動して、電極組３０ａ、３０ｂの一方または他方の電気的接続状態を切換えるものとしたので、電気的接続状態を切換えのためには回転スライダ５０は回転するだけであり、例えば電極組の電極の並び方向に直線移動することはない。
したがって、スライダのスライド代を考慮しなければならない従来のスイッチに比較して、回転スライダ５０を収容するケースのサイズを短縮することができ、全体の小型化が実現できる。
【００３１】
とくに電極組３０（３０ａ、３０ｂ）はそれぞれ、揺動接片３７と、ケースの底壁２１上に順次配列された電極３１、電極３２および電極３３からなり、いずれの電極組３０ａ、３０ｂも各電極の配列順が同方向であり、揺動接片３７は電極３２に中間を支持されて、電極３１から電極３３に対向して配置され、回転スライダ５０の回動の中立位置において、ボール５６はそれぞれの揺動接片３７の電極３１と電極３２による支持位置の間を押圧しており、回転スライダ５０が回動してボール５６による押圧位置が上記支持位置を越えて電極３３方向へ移動することにより、電極３１と電極３２の導通状態から電極３３と電極３２の導通状態へ切換わるものとなっている。したがって、回転スライダ５０が中立位置から回動して一方のボール５６が揺動接片３７の支持位置を越えると、他方のボール５６は逆に支持位置から遠ざかる方向に移動するので、一方の電極組３０ａで電気的接続状態が切換るときは、他方の電極組３０ｂで電気的接続状態が切換ることはなく、必ず交互に一方の電極組のみの電気的接続状態を切換えることができる。
また、いずれの電極組も各電極の配列順が同方向であるため、揺動接片３７の配置方向を間違えるおそれもなく、組立も容易である。
【００３２】
操作子としては、中心軸５２を挟んだ両側にそれぞれ電極組３０ａ、３０ｂ側に開口する筒孔５４を備えた円柱状の操作子５３ａ、５３ｂの２本が設けられ、筒孔５４内に上記のコイルスプリング５５が収容され、ボール５６は筒孔５４の開口部に配置されているので、操作子がコイルスプリングとボールの保持機能を兼ね、回転スライダがコンパクトに形成される。
【００３３】
さらに、スイッチにノブ１を連動させ、ノブ１は電極組３０ａ、３０ｂのそれぞれの揺動接片３７ａ、３７ｂを横切る方向の揺動軸２まわりに揺動可能とし、揺動軸２より揺動接片側に延びて一方の操作子５３ａと連係する係合部６０を備えたレバー３を有し、ノブ１を揺動軸２まわりに揺動することにより、回転スライダ５０を一方向または逆方向に回動させるように構成してあるので、ノブ１を一方向に揺動させることにより電極組３０ａの電気的接続状態を切換え、ノブ１を逆方向に揺動させることにより電極組３０ｂの電気的接続状態を切換えることができ、従来と同様に１つのノブの操作で例えばパワーウインドの開閉を制御することができる。
【００３４】
なお、実施の形態では、揺動接片３７を押圧する押圧手段として、コイルスプリング５５が操作子５３の筒孔５４内に配置され、ボール５６が上から見て操作子５３と整合しているものとしたが、これに限定されず、押圧手段は各電極組３０の揺動接片３７に対応させて回転スライダ５０の中心軸５２を挟んだ両側に設定されていればよく、操作子５３と整合している必要はない。
とくに、コイルスプリング５５を収容するため２本の操作子５３ａと５３ｂを設けたが、コイルスプリング５５の代わりに小サイズのリーフスプリングなどでボール５６を押圧する場合には、操作子は１つあればよい。
【００３５】
また、回転スライダ５０は回動軸として、スライダ本体部５１から突出する中心軸５２をアッパケース１０の天壁１１の孔１６に支持させたものとしたが、回転スライダ５０は所定の軸線周りに回動可能であればよいので、例えば、天壁１１から軸を下方に突出させ、スライダ本体部５１の中心に設けた孔を天壁１１からの軸に支持させてもよい。
さらに、電極板３１、３３には揺動接片３７との接触部として接点３６、３８を備えているものとしたが、接点を省いて電極板が直接揺動接片と接触するようにしてもよい。
【００３６】
また、実施の形態では、ノブ１の下方において、スイッチ５をその回転スライダ５０が略水平面内で回動する姿勢で配置し、ノブ１のレバー３先端の前後方向変位を回転スライダ５０の回動に変換するものとしたが、スイッチ５の利用形態としてはこれに限定されず、例えば図９に示すように、回転スライダ５０が垂直面内で回動する姿勢でスイッチ５を配置して、中立位置における操作子５３を中心軸５２から例えば前方に離間した位置に設定して、ノブ１の前端と操作子５３をロッドＲでリンク連結することによっても、ノブ１の揺動により回転スライダ５０を回動させることができる。
【産業上の利用可能性】
【００３７】
本発明は、設置スペースが狭い各種のスイッチ装置に適用することができ、とくに自動車のパワーウインド用のスイッチ装置に利用して有用である。
【符号の説明】
【００３８】
１    ノブ
２    揺動軸
３    レバー
４    角部
５    スイッチ
８    ケース
１０    アッパケース
１１    天壁
１６    孔
１８ａ、１８ｂ    穴
２０    ロアケース
２１    底壁
３０、３０ａ、３０ｂ    電極組
３１、３１ａ、３１ｂ    電極板
３２、３２ａ、３２ｂ    電極板
３３、３３ａ、３３ｂ    電極板
３６、３６ａ、３６ｂ    接点
３７、３７ａ、３７ｂ    揺動接片
３８、３８ａ、３８ｂ    接点
４０    谷
４１、４２    山部
５０    回転スライダ
５１    スライダ本体部
５２    中心軸
５３、５３ａ、５３ｂ    操作子
５４    筒孔
５５    コイルスプリング
５６    ボール
６０    係合部
６２、６３    当接面
Ｋ    化粧板
Ｒ    ロッド
Ｓ    スイッチ装置
【図１】
2010165530.tif 000003
【図２】
2010165530.tif 000004
【図３】
2010165530.tif 000005
【図４】
2010165530.tif 000006
【図５】
2010165530.tif 000007
【図６】
2010165530.tif 000008
【図７】
2010165530.tif 000009
【図８】
2010165530.tif 000010
【図９】
2010165530.tif 000011
【図１０】
2010165530.tif 000012
【図１１】
2010165530.tif 000013